(57)【要約】【課題】予め入力しておいた時期及び／または装置の部品が劣化したと判定できる状態を想定して、その状態を判定値として設定し、装置の部品が判定値になると部品の交換等のメンテナンス信号を通知するメンテナンス時期通知装置を提供する。【解決手段】ディジタル保護リレー装置１のメンテナンス時期を設定する条件として時刻情報及びリレー装置等の部品が劣化したと判定できる判定値を入力する入力部４と、入力部に入力された時刻情報と判定値とを記憶する記憶手段１０と、現在時刻を計時する計時手段１１と、部品の動作状態検出データあるいは劣化判断要素となる動作の回数を計測する監視手段１２と、記憶手段の時刻情報と現在時刻及び記憶手段の判定値と計測値を比較し、メンテナンスの要否を判定する判定手段９と、判定手段の判定にもとづいてメンテナンス信号を発する出力部８とを備えた構成とする。【選択図】図２
2008118747.tif 000002
【特許請求の範囲】
【請求項１】
ディジタル保護リレー装置のメンテナンス時期を設定する条件として時刻情報及び上記ディジタル保護リレー装置の部品が劣化したと判定できる判定値を入力する入力部と、上記入力部に入力された時刻情報と判定値とを記憶する記憶手段と、現在時刻を計時する計時手段と、上記部品の劣化または異常を監視するため上記部品の動作状態検出データあるいは劣化判断要素となる動作の回数を計測する監視手段と、上記記憶手段に記憶された時刻情報と判定値とを読み出して上記時刻情報と上記計時手段の現在時刻及び上記判定値と上記監視手段の計測値をそれぞれ比較し、メンテナンスの要否を判定する判定手段と、上記判定手段の判定にもとづいて部品交換時期であることを知らせるメンテナンス信号を発する出力部とを備えたディジタル保護リレー装置のメンテナンス時期通知装置。
【請求項２】
ディジタル保護リレー装置のメンテナンス時期を設定する条件として時刻情報を入力する入力部と、上記入力部に入力された時刻情報を記憶する記憶手段と、現在時刻を計時する計時手段と、上記記憶手段に記憶された時刻情報を読み出して上記計時手段の現在時刻と比較し、メンテナンスの要否を判定する判定手段と、上記判定手段の判定にもとづいて部品交換時期であることを知らせるメンテナンス信号を発する出力部とを備えたディジタル保護リレー装置のメンテナンス時期通知装置。
【請求項３】
ディジタル保護リレー装置のメンテナンス時期を設定する条件として上記ディジタル保護リレー装置の部品が劣化したと判定できる判定値を入力する入力部と、上記入力部に入力された判定値を記憶する記憶手段と、上記部品の劣化または異常を監視するため上記部品の動作状態検出データあるいは劣化判断要素となる動作の回数を計測する監視手段と、上記記憶手段に記憶された判定値を読み出して上記監視手段の計測値と比較し、メンテナンスの要否を判定する判定手段と、上記判定手段の判定にもとづいて部品交換時期であることを知らせるメンテナンス信号を発する出力部とを備えたディジタル保護リレー装置のメンテナンス時期通知装置。
【請求項４】
上記劣化判断要素となる動作は、エラーの発生であることを特徴とする請求項１または請求項３記載のディジタル保護リレー装置のメンテナンス時期通知装置。
【請求項５】
上記部品交換時期であることを知らせるメンテナンス信号は、上記ディジタル保護リレー装置の前面に装着された発光ダイオードまたは液晶表示装置によって表示されることを特徴とする請求項１〜請求項４のいずれか１項記載のディジタル保護リレー装置のメンテナンス時期通知装置。
【請求項６】
上記部品交換時期であることを知らせるメンテナンス信号は、上記信号によって動作する接点装置によって保守拠点へ伝達されることを特徴とする請求項１〜請求項４のいずれか１項記載のディジタル保護リレー装置のメンテナンス時期通知装置。
【請求項７】
上記入力部への時刻情報および／または判定値の入力は、上記ディジタル保護リレー装置の前面に装着され整定操作を行なう押しボタンを介して行なうことを特徴とする請求項１〜請求項３のいずれか１項記載のディジタル保護リレー装置のメンテナンス時期通知装置。
【請求項８】
上記入力部への時刻情報および／または判定値の入力は、上記ディジタル保護リレー装置に接続されたパソコンを介して行なうことを特徴とする請求項１〜請求項３のいずれか１項記載のディジタル保護リレー装置のメンテナンス時期通知装置。
【発明の詳細な説明】
【技術分野】
【０００１】
この発明はディジタル保護リレー装置のメンテナンス時期通知装置に関するものである。
【背景技術】
【０００２】
従来のディジタル保護リレー装置は、自動監視機能を具備しており、監視項目別に定められた異常検出条件に従って異常を確認すると、外部警報を出力するようにされている。出力された外部警報は、遠方監視制御盤等を通じて保守拠点に通知される。保守拠点の保守員は外部警報を受けると、例え休日夜間等であっても異常の発生したディジタル保護リレー装置のもとへ急行し、異常内容等の確認を行なった上、復旧処置を実施していた。（例えば非特許文献１参照）。
【０００３】
【非特許文献１】電気学会、１９９７年７月発行、電気学会技術報告第６４１号「保護リレーシステム基本技術体系」Ｐ８６〜Ｐ９１
【発明の開示】
【発明が解決しようとする課題】
【０００４】
従来のディジタル保護リレー装置は、上述のように、自動監視機能によって異常を検出した後に警報を出力するようになっていたため、保守拠点に異常が通知された時には、すでに保護機能は失われており、保守員は即復旧処置を実施する必要があるという問題点があった。
【０００５】
また、故障個所を復旧するためには、部品交換が必要となる場合がほとんどであり、即復旧するためには、予備品を常時保管しておく必要があるという問題点もあった。
【０００６】
この発明は、上記のような問題点に対処するためになされたもので、予め入力しておいた時期または装置の部品が劣化したと判定できる状態を想定して、その状態を判定値として設定し、装置の部品が判定値に至ると、部品の交換等のメンテナンス信号を通知するようにしたディジタル保護リレー装置のメンテナンス時期通知装置を提供することを目的とする。
【課題を解決するための手段】
【０００７】
この発明に係るディジタル保護リレー装置のメンテナンス時期通知装置は、ディジタル保護リレー装置のメンテナンス時期を設定する条件として時刻情報及び上記ディジタル保護リレー装置の部品が劣化したと判定できる判定値を入力する入力部と、上記入力部に入力された時刻情報と判定値とを記憶する記憶手段と、現在時刻を計時する計時手段と、上記部品の劣化または異常を監視するため上記部品の動作状態検出データあるいは劣化判断要素となる動作回数を計測する監視手段と、上記記憶手段に記憶された時刻情報と判定値とを読み出して上記時刻情報と上記計時手段の現在時刻及び上記判定値と上記監視手段の計測値とを比較し、メンテナンスの要否を判定する判定手段と、上記判定手段の判定にもとづいて部品交換時期であることを知らせるメンテナンス信号を発する出力部とを備えたものである。
【発明の効果】
【０００８】
この発明に係るディジタル保護リレー装置のメンテナンス時期通知装置は上記のように構成されており、部品が劣化したと想定される状態（条件）を予め入力しているため、その条件に至った時にメンテナンスの通知を発することができる結果、管理台帳等でメンテナンス時期を管理する必要がなく、巡視時には保守員にタイムリーに通知することができる。
【０００９】
また、部品交換時期であることを知らせるメンテナンス信号は、ディジタル保護リレー装置の前面パネル等に実装された通知手段によって知ることができるため、可搬形ヒューマンインターフェースであるパソコン等を接続せずとも、定期巡視時に巡視者が容易に認識することができる。
【００１０】
更に、メンテナンス信号は、ディジタル保護リレー装置に具備された接点装置等によって保守拠点へ伝達されるようになっているため、保守拠点の保守員が容易に認識することができる。
【００１１】
加えて、ディジタル保護リレー装置に対する入力は、ディジタル保護リレー装置の前面パネルに実装され、整定操作を行なう押しボタンによって行なうことができるため、可搬形ヒューマンインターフェースであるパソコン等を接続せずに入力することができる。
【００１２】
なお、可搬形ヒューマンインターフェースであるパソコンを介して入力することもできるため、種々の状況に対応することができる。
【発明を実施するための最良の形態】
【００１３】
実施の形態１．
以下、この発明の実施の形態１を図にもとづいて説明する。図１は、実施の形態１におけるディジタル保護リレー装置の外観構成及び入力手段との接続状況を示す概略斜視図、図２は、実施の形態１の回路構成を示すブロック図である。
【００１４】
外観構成から説明すると、図１に示すように、ディジタル保護リレー装置の筐体１の前面パネル１Ａに、入力手段としてのパソコン２を接続するための端子１Ｂが設けられると共に、通知手段としての発光ダイオード（ＬＥＤ）５が設けられている。通知手段については後述する。
【００１５】
回路構成は、図２に示すように、メンテナンス時期を設定する時刻情報及びディジタル保護リレー装置の部品が劣化したと判定できる状態を想定して、その状態を判定値として入力する入力処理部４と、入力されたデータを記憶する記憶手段１０と、現在時刻を計時する計時手段１１と、ディジタル保護リレー装置の部品の劣化または異常を監視するために部品の動作状態検出データを計測する監視手段１２と、記憶手段１０に記憶された時刻情報と判定値とを読み出し、読み出された時刻情報と計時手段１１からの現在時刻とを比較して、設定されたメンテナンス時期に至っていないかどうかを判定すると共に、読み出された判定値と監視手段１２からの計測値とを比較して部品の劣化状態がメンテナンスを要する状態かどうかを判定する判定処理部９と、上記判定処理部９によってメンテナンス時期あるいはメンテナンスを要する状態と判定された場合にメンテナンス信号を発する出力処理部８とから構成されている。
【００１６】
上述した入力処理部への対応は、ディジタル保護リレー装置の運用開始時または定期点検実施時に、パソコン２をディジタル保護リレー装置１の端子１Ｂに接続して、例えば図３に示すような入力値を入力する。
【００１７】
図３は、例１〜例５に示すように、ディジタル保護リレー装置のメンテナンスを要する部位あるいは部品ごとに、予め設定したメンテナンス時期及び装置の部品が劣化したと判定できる状態を想定して、その状態を示す数値等を入力する。例えば、例２に示すように、電源装置に対しては、メンテナンスを要すると思われる経過年数及び劣化の目安となるリップル電圧の数値が何Ｖ以上かを入力する。また、例３に示すように、伝送部に対しては、メンテナンスを要すると思われる経過年数及び劣化の目安となる伝送エラーの発生回数を入力する。
【００１８】
また、図２の出力処理部８には、図１に示すディジタル保護リレー装置１のＬＥＤ５が接続され、出力処理部８からメンテナンス信号が出された場合にはＬＥＤ５が点灯するようにされている。
【００１９】
図４は、実施の形態１の作用を説明するため、図２に示す判定処理部９の機能を分かり易く示したものである。即ち、判定処理部９内の入力値格納処理機能１３は、図２の入力処理部４からの入力値として時刻情報と判定値とを受け付けると、図４に矢印で示すように、時刻情報についてはメンテナンスを行なう設定時刻として、判定値と共に記憶手段１０に記憶させ、判定機能１４は監視手段で計測された計測値と記憶手段１０から読み出された判定値とを比較し、計測値が判定値を逸脱している時は出力を生じてＯＲ回路１６に供給する。計測値が判定値を逸脱していない時は出力を生じないようにされている。
【００２０】
また、時刻比較機能１５は、記憶手段１０から読み出された設定時刻と計時手段１１の現在時刻とを比較し、現在時刻が設定時刻と同じかまたは設定時刻より進んでいる場合は、メンテナンス時期が到来していると判定して出力を生じＯＲ回路１６に供給する。現在時刻が設定時間に達していない場合は出力を生じないようにされている。
【００２１】
ＯＲ回路１６では判定機能１４と時刻比較機能１５のいずれかに出力がある時に出力を生じて出力処理部８に供給し、出力処理部８から部品交換時期であることを知らせるメンテナンス信号を出力し、この出力によって通知手段であるＬＥＤ５を点灯する。
【００２２】
実施の形態１は上記のように構成され、メンテナンス時期を予め設定した時刻情報及び部品が劣化したと判定できる状態を設定した判定値にもとづいてメンテナンス信号を通知するようにしたため、メンテナンス時期を管理台帳等で管理する必要がなく、また、巡視時には保守員にタイムリーに通知することができる。
【００２３】
実施の形態２．
次に、この発明の実施の形態２を図にもとづいて説明する。図５は、実施の形態２におけるディジタル保護リレー装置の外観構成を示す概略斜視図、図６は、実施の形態２の回路構成を示すブロック図、図７は、実施の形態２の作用を説明するため、図６に示す判定処理部９の機能を分かり易く示したものである。図５、図６及び図７において、図１、図２及び図４と同一または相当部分には同一符号を付している。
【００２４】
図１と異なる点は、ディジタル保護リレー装置の前面パネル１Ａに入力手段としてテンキー３を設け、通知手段として液晶表示装置６を設けた点である。また、図２と異なる点は、監視手段１２を除去し、時刻情報のみを用いて判定するようにした点である。
【００２５】
従って入力処理部４に対してはメンテナンス時期を設定する時刻情報のみを入力し、記憶手段１０に記憶させる。判定処理部９では、図７に示すように、記憶手段１０から読み出された時刻情報（設定時刻）と計時手段１１の現在時刻のみを比較してメンテナンス時期を判定している。その他の構成は実施の形態１と同様であるため説明を省略する。
【００２６】
実施の形態２は、メンテナンス時期を時刻情報のみで判定するようにしたものであるが、部品の劣化時期を予め想定しておくことにより、部品交換の時期を予告することができる。
【００２７】
実施の形態３．
次に、この発明の実施の形態３を図にもとづいて説明する。図８は、実施の形態３の回路構成を示すブロック図、図９は、図８に示す判定処理部９の機能を分かり易く示したものである。図８及び図９において、図２及び図４と同一または相当部分には同一符号を付している。
【００２８】
図２と異なる点は、計時手段１１を除去し、装置の部品が劣化したと判定できる状態を想定した判定値のみを用いて判定するようにした点である。
【００２９】
従って入力処理部４に対しては、装置の部品が劣化したと判定できる状態を想定して設定された判定値のみを入力し、記憶手段に記憶させる。判定処理部９では図９に示すように、記憶手段１０から読み出された判定値と監視手段１２からの計測値とを比較してメンテナンス時期を判定している。その他の構成は実施の形態１と同様であるため説明を省略する。
【００３０】
実施の形態３はメンテナンス時期を監視手段からの計測値のみで判定するようにしたものであるが、十分に的確性のある部品交換時期を予告することができる。
【００３１】
実施の形態４．
次に、この発明の実施の形態４を図にもとづいて説明する。図１０は、実施の形態４の回路構成を示すブロック図である。この図において、図２と同一または相当部分には同一符号を付している。図２と異なる点は、入力処理部４への入力手段としてディジタル保護リレー装置の前面パネルに設けられたテンキー３を使用し、出力処理部８に接続するメンテナンス信号の通知手段としてディジタル保護リレー装置の前面パネルに装着された液晶表示装置６を使用する点である。その他の回路構成は図２と同様であるため説明を省略する。
【００３２】
実施の形態４は上記のように構成されているため、パソコン２を接続することなく入力値を入力することができ、また、液晶表示装置６によってメンテナンス信号を確認することができるため、信号の認識が容易となる。また、入力側にも液晶表示装置６を設けることによって入力値を画面で認識することができるようになる。
【００３３】
実施の形態５．
次に、この発明の実施の形態５を図にもとづいて説明する。図１１は、実施の形態５におけるディジタル保護リレー装置の外観構成を示す概略斜視図、図１２は、実施の形態５の回路構成を示すブロック図である。図１２において、図２と同一または相当部分には同一符号を付している。図２と異なる点は、入力処理部４への入力手段としてパソコン２及びディジタル保護リレー装置の前面パネルに設けられたテンキー３を併用し、いずれの手段によっても入力可能にすると共に、出力処理部８に接続するメンテナンス信号の通知手段として接点装置７を使用する点である。
【００３４】
この接点装置７は図１１に示すように、ディジタル保護リレー装置の前面パネル１Ａに装着して使用するもので、この接点装置７を遠方監視制御装置等（図示せず）に接続することにより、メンテナンス信号を遠隔の保守拠点の保守員にも確実に通知することが可能となる。
【産業上の利用可能性】
【００３５】
この発明は上記のように構成されているため、ディジタル保護リレー装置以外の変電所監視制御装置や遠方監視制御装置等におけるメンテナンス時期通知装置としても利用し得るものである。
【図面の簡単な説明】
【００３６】
【図１】この発明の実施の形態１におけるディジタル保護リレー装置の外観構成及び入力手段との接続状況を示す概略斜視図である。
【図２】実施の形態１の回路構成を示すブロック図である。
【図３】実施の形態１における入力値の例を示す説明図である。
【図４】実施の形態１の作用を説明するため判定処理部の機能を分かり易く示した説明図である。
【図５】この発明の実施の形態２におけるディジタル保護リレー装置の外観構成を示す概略斜視図である。
【図６】実施の形態２の回路構成を示すブロック図である。
【図７】実施の形態２の作用を説明するため判定処理部の機能を分かり易く示した説明図である。
【図８】この発明の実施の形態３の回路構成を示すブロック図である。
【図９】実施の形態３の作用を説明するため判定処理部の機能を分かり易く示した説明図である。
【図１０】この発明の実施の形態４の回路構成を示すブロック図である。
【図１１】この発明の実施の形態５におけるディジタル保護リレー装置の外観構成を示す概略斜視図である。
【図１２】実施の形態５の回路構成を示すブロック図である。
【符号の説明】
【００３７】
１  ディジタル保護リレー装置、  １Ａ  前面パネル、  １Ｂ  端子、  ２  パソコン、  ３  テンキー、  ４  入力処理部、  ５  発光ダイオード、  ６  液晶表示装置、
７  接点装置、  ８  出力処理部、  ９  判定処理部、  １０  記憶手段、  １１  計時手段、  １２  監視手段。
【図１】
2008118747.tif 000003
【図２】
2008118747.tif 000004
【図３】
2008118747.tif 000005
【図４】
2008118747.tif 000006
【図５】
2008118747.tif 000007
【図６】
2008118747.tif 000008
【図７】
2008118747.tif 000009
【図８】
2008118747.tif 000010
【図９】
2008118747.tif 000011
【図１０】
2008118747.tif 000012
【図１１】
2008118747.tif 000013
【図１２】
2008118747.tif 000014